(57)【要約】      （修正有）【課題】セントレックスにおける代表番号話中時の空き番号制御方法を提供する。【解決手段】一の代表電話が話中時に，前記一の代表電話へ第２の着信呼がある場合，公衆移動交換局は，前記第２の着信呼が，セントレックス移動交換局の代表番号への着信か否か判定し，代表番号呼の時，セントレックス移動交換局へ代表番号呼であることを通知し，前記セントレックス移動交換局は，代表番号呼であることを判定し，仮想プロファイルスライド捕捉を実行し，前記セントレックス移動交換局は，更に仮想プロファイルスライド捕捉後，内線プロファイルスライド捕捉を行い，内線プロファイルに対応した公衆番号を公衆移動交換局へ通知し，前記公衆移動交換局は，セントレックス移動交換局から通知された公衆番号を話中設定し，前記公衆移動交換局は，更に話中の代表番号からセントレックス移動交換局から通知された代表番号に迂回し，携帯端末へ着信を送出する。【選択図】  図２
2007306215.tif 000002
【特許請求の範囲】
【請求項１】
セントレックスにおける代表番号話中時の空き番号制御方法であって，
１加入者に対して公衆用，内線用，及び代表用電話番号を設定し，
前記公衆用と内線用電話番号は１：１の関係であり，代表電話番号は，セントレックスに必要な数（Ｎ）を設け，公衆用又は内線用電話番号と代表電話番号の関係は１：Ｎの集線形式とし，
加入者プロファイルは，公衆移動交換局（ＭＳＣ）に代表プロファイルを，セントレックス移動交換局（ＭＳＣ）に仮想プロファイルを設け，前記代表プロファイルと仮想プロファイルの関係は１：１とし，
一の代表電話が話中時に，前記一の代表電話へ弟２の着信呼がある場合，
前記公衆移動交換局は，前記第２の着信呼が，セントレックス移動交換局の代表番号への着信か否か判定し，代表番号呼の時，セントレックス移動交換局へ代表番号呼であることを通知し，
前記セントレックス移動交換局は，代表番号呼であることを判定し，仮想プロファイルスライド捕捉を実行し，
前記セントレックス移動交換局は，更に仮想プロファイルスライド捕捉後，内線プロファイルスライド捕捉を行い，内線プロファイルに対応した公衆番号を公衆移動交換局へ通知し，
前記公衆移動交換局は，セントレックス移動交換局から通知された公衆番号を話中設定し，
前記公衆移動交換局は，更に話中の代表番号からセントレックス移動交換局から通知された代表番号に迂回し，携帯端末へ着信SETUPを送出することを特徴とする空き番号制御方法。
【請求項２】
セントレックスにおける代表番号話中時の空き番号制御方法であって，
１加入者に対して公衆用，内線用，及び代表用電話番号を設定し，
前記公衆用と内線用電話番号は１：１の関係であり，代表電話番号は，セントレックスに必要な数（Ｎ）を設け，公衆用又は内線用電話番号と代表電話番号の関係は１：Ｎの集線形式とし，
加入者プロファイルは，公衆移動交換局（ＭＳＣ）に代表プロファイルを，セントレックス移動交換局（ＭＳＣ）に仮想プロファイルを設け，前記代表プロファイルと仮想プロファイルの関係は１：１とし，
一の内線電話から外線代表発信がある場合，
前記セントレックス移動交換局で前記一の内線電話からの外線代表発信を検出し，仮想プロファイルスライド捕捉を行い，前記公衆移動交換局へ内線プロファイルに対応した公衆番号を通知し，
前記公衆移動交換局は，前記セントレックス移動交換局から通知された前記公衆番号を話中設定し，
前記セントレックス移動交換局は，前記内線電話の発信を仮想プロファイルに迂回し，前記公衆動交換局へ発信SETUPを送出する，  
ことを特徴とする空き番号制御方法。
【請求項３】
請求項１又は２において，
前記代表電話とリンクした仮想プロファイルリストと仮想プロファイルのスライド開始位置を記憶したデータを用いて前記仮想プロファイルスライド捕捉及び，内線プロファイルスライド捕捉を行うことを特徴とする空き番号制御方法。
【発明の詳細な説明】
【技術分野】
【０００１】
本発明は，セントレックス用のＭＳＣサービスを設けたシステムにおける代表番号話中時の空き番号制御方法に関する。
【背景技術】
【０００２】
近年インターネットを利用したＩＰ（Internet Protocol)電話が普及し始めている。既存の電話網においては，内線電話や外部公衆網への接続・制御を行うために，ＰＢＸ（Private branch exchange)が必要である。ＩＰ電話においても，内線電話や外部公衆網への接続・制御を行うためにＰＢＸ(Private branch exchange)の機能が必要となり，これに対応するＩＰ−ＰＢＸが知られている。
【０００３】
すなわち，ＩＰネットワークは本来的には“エンド・ツー・エンド”での通信が原則となるため，単純に音声パケットをやり取りするＩＰ電話端末同士を接続するだけでは，転送などの機能が利用できない。したがって，従来の電話システムでかかる内線交換機能を提供していたＰＢＸをＩＰネットワーク上で実現するものがＩＰ−ＰＢＸである。
【０００４】
従来のＰＢＸは，例えば，特許文献１に示されるように，原則として内線電話の配置される拠点ごとに設置する必要があった。
【０００５】
これに対し，ＩＰ−ＰＢＸの特徴は，離れた拠点の内線電話を集中管理できることである。すなわち，ＩＰ−ＰＢＸでは拠点間がＩＰネットワークで接続されていれば，離れた拠点の内線電話でも管理可能である。このために，電話番号の変更などの運用保守業務が一元化できる。
【０００６】
かかる特徴から，ＩＰセントレックスサービスの提供が今後ますます広がってくると思われる。そして，ＩＰセントレックスでは，企業内の電話システムをＩＰ電話に切り替え，通信事業者が提供するサーバに接続して通信を行う。サーバは通信事業者の拠点に設置されており，そこまでの通信にはインターネットなどを利用する一般的なデータ通信が使用される。
【０００７】
さらに，内線電話を携帯電話に置き換えるという動きも現れている。かかる場合は，内線の交換機能を携帯電話サービス事業者に移して行う，モバイル・セントレックスサービスとなる。
【０００８】
図１は，公衆網で使用される携帯電話とセントレックスの内線電話を併用している通信システムの概念図である。
【０００９】
図１において，公衆移動交換局（ＭＳＣ）１に公衆用の加入者プロファイルＡが登録管理されている。一方，セントレックスＭＳＣ２側で内線番号用の加入者プロファイルＢを管理している。
【００１０】
ここで，セントレックスＭＳＣ２は，公衆ＭＳＣ１内に縮退させ，ソフトウエア場の部位として論理的に存在させる構成，あるいは，公衆ＭＳＣ１から分離し，物理的に外付けの一にあり，公衆ＭＳＣ１と無線制御装置（ＲＮＣ）の間に位置させる構成とすることも可能である。
【００１１】
かかるいずれの構成においても，移動交換局（ＭＳＣ）１とセントレックスＭＳＣ２が相互にリンク関係を持つことで，携帯電話で公衆の機能と内線の機能の併用を可能にしている。
【００１２】
図１において，携帯電話１０及び携帯電話１２は，それぞれ個人として加入者契約している。例えば，携帯電話１０の公衆網の番号Ｃは，090ccccccccであり，携帯電話１２の公衆網の番号Ｅは，090eeeeeeeeである。一方，携帯電話１１は，事業者契約をしている代表電話であり，その公衆網の番号Ｄは，090ddddddddである。
【００１３】
ここで，１企業に対してセントレックスサービスが適用される場合，携帯電話１０，代表携帯電話１１及び携帯電話１３のそれぞれに対し，内線番号が付与される。すなわち，携帯電話１０の内線番号Ｃは，tttcccc，携帯電話１１の内線番号Ｄは，tttddddであり，携帯電話１２の内線番号Ｅは，ttteeeeである。
【００１４】
このように，セントレックスサービスにより，１加入者に対して公衆携帯電話（個人用）の番号と内線用の番号の２つが与えられる。すなわち，上記の通り，代表携帯電話１１の番号は，当該企業における業務外線用と内線用，その他の携帯電話１０，１２にあっては，個人用と内線用の番号となる。
【特許文献１】特開昭６２−１３９４９０号公報
【発明の開示】
【発明が解決しようとする課題】
【００１５】
上記したように，従来の個人（公衆）用の携帯電話とセントレックスの内線電話を併用しているサービスにあっては，公衆加入者プロファイルと内線加入者プロファイルが１：１の関係にあった。したがって，これにより，外線を受け付ける代表携帯電話番号Ｄ（090dddddddd）の加入者が話中の場合，その代表番号の加入者へ更に着信があると，その着信を受け付けられないという問題がある。
【００１６】
さらに，セントレックス２内で，代表電話１１以外の携帯電話１０，１２の内線から外線発信した場合に，業務による発信か，個人により発信かが区別できずに，それぞれの公衆網の番号(個人の番号)に課金されてしまうという問題がある。
【００１７】
したがって，本発明はかかる不都合を解決するセントレックスにおける代表番号話中時の空き番号制御方法を提供することにある。
【課題を解決するための手段】
【００１８】
上記課題を達成する本発明の第１の側面は，セントレックスにおける代表番号話中時の空き番号制御方法であって，１加入者に対して公衆用，内線用，及び代表用電話番号を設定し，前記公衆用と内線用電話番号は１：１の関係であり，代表電話番号は，セントレックスに必要な数（Ｎ）を設け，公衆用又は内線用電話番号と代表電話番号の関係は１：Ｎの集線形式とし，加入者プロファイルは，公衆移動交換局（ＭＳＣ）に代表プロファイルを，セントレックス移動交換局（ＭＳＣ）に仮想プロファイルを設け，前記代表プロファイルと仮想プロファイルの関係は１：１とし，一の代表電話が話中時に，前記一の代表電話へ弟２の着信呼がある場合，前記公衆移動交換局は，前記第２の着信呼が，セントレックス移動交換局の代表番号への着信か否か判定し，代表番号呼の時，セントレックス移動交換局へ代表番号呼であることを通知し，前記セントレックス移動交換局は，代表番号呼であることを判定し，仮想プロファイルスライド捕捉を実行し，前記セントレックス移動交換局は，更に仮想プロファイルスライド捕捉後，内線プロファイルスライド捕捉を行い，内線プロファイルに対応した公衆番号を公衆移動交換局へ通知し，前記公衆移動交換局は，セントレックス移動交換局から通知された公衆番号を話中設定し，前記公衆移動交換局は，更に話中の代表番号からセントレックス移動交換局から通知された代表番号に迂回し，携帯端末へ着信SETUPを送出することを特徴とする。
【００１９】
上記課題を達成する本発明の第２の側面は，セントレックスにおける代表番号話中時の空き番号制御方法であって，１加入者に対して公衆用，内線用，及び代表用電話番号を設定し，前記公衆用と内線用電話番号は１：１の関係であり，代表電話番号は，セントレックスに必要な数（Ｎ）を設け，公衆用又は内線用電話番号と代表電話番号の関係は１：Ｎの集線形式とし，加入者プロファイルは，公衆移動交換局（ＭＳＣ）に代表プロファイルを，セントレックス移動交換局（ＭＳＣ）に仮想プロファイルを設け，前記代表プロファイルと仮想プロファイルの関係は１：１とし，一の内線電話から外線代表発信がある場合，前記セントレックス移動交換局で前記一の内線電話からの外線代表発信を検出し，仮想プロファイルスライド捕捉を行い，前記公衆移動交換局へ内線プロファイルに対応した公衆番号を通知し，前記公衆移動交換局は，前記セントレックス移動交換局から通知された前記公衆番号を話中設定し，前記セントレックス移動交換局は，前記内線電話の発信を仮想プロファイルに迂回し，前記公衆動交換局へ発信SETUPを送出することを特徴とする。
【００２０】
上記第１，第２の側面において，前記代表電話とリンクした仮想プロファイルリストと仮想プロファイルのスライド開始位置を記憶したデータを用いて前記仮想プロファイルスライド捕捉及び，内線プロファイルスライド捕捉を行うことを特徴とする。
【発明の効果】
【００２１】
上記本発明野特徴により，携帯電話の代表番号が話中に，その代表番号に複数の着信があった場合，セントレックス内の他の電話で許容ができ，企業での電話受付容量が拡大出来る。セントレックス内の内線から外線発信した際の課金が，電話会社で企業用，個人用で分別できるようになり，企業内での分別が不要になる。また，個人用の携帯電話と会社契約の携帯電話機の２台の両方を携帯しなくとも，常時，１台の携帯電話機を持つように出来る。
【発明を実施するための最良の形態】
【００２２】
以下に，本発明の実施の形態例を図面に従い説明する。
【００２３】
図２は，本発明の基本的概念を説明する図である。
【００２４】
本発明の基本概念は，公衆の移動交換局（ＭＳＣ）１内にセントレックス代表用の電話番号を更に１つ設け，１加入者に対して３つの電話番号（公衆用，内線用＋代表用）を持つようにする。
【００２５】
公衆用と代表用電話番号は，公衆ＭＳＣ１で持ち，内線用電話番号はセントレックスＭＳＣで持つようにする。
【００２６】
このとき，３つの電話番号の関係を以下のようにする。
【００２７】
図２に示すように，公衆用と内線用電話番号は，図１に示したと同様に１：１の関係である。公衆電話番号は公衆用に専用化する。携帯電話１０，１１，１２，・・・１ｎは，それぞれ１：１の関係にある公衆電話番号と，内線電話番号を有する。
【００２８】
さらに，特徴として，代表用電話番号は１テナント（セントレックス）に必要な数（Ｎ）設け，公衆用と内線用の電話番号と，代表用電話番号の関係は，１：Ｎの集線形式をとる。図２に示す例では，３つの代表用電話番号を設けている。
【００２９】
また，加入者プロファイルは，公衆のＭＳＣ１に代表用プロファイルＡ１を，セントレックスＭＳＣ２内には，仮想プロファイルＢ１を設け，代表プロファイルと仮想プロファイルの関係は１：１とする。
【００３０】
次に，かかる本発明の構成を適用する実施例サービスの処理を説明する。
【００３１】
図３は，本発明に従う代表着信サービスを説明する図である。
条件として公衆ＭＳＣ１で，ある代表番号（Ｚ）が話中の時（ステップＳ１），第２の着信呼（ステップＳ２）がある場合を想定する。
【００３２】
このとき，代表着信受付処理（ステップＳ３）を行う。
【００３３】
代表着信受付処理（ステップＳ３）は，図４のフローに従い，公衆ＭＳＣ１は，その着信呼が，セントレックスＭＳＣ２への代表番号への着信かを判定する。すなわち，セントレックスＭＳＣ２への着信番号であって（ステップＳ３−１，Ｙｅｓ），代表番号呼である場合（ステップＳ３−３，代表番号），セントレックスＭＳＣ２へ代表番号呼であることを通知する（ステップＳ３−５）。
【００３４】
次いで，セントレックスＭＳＣ２は，代表番号呼であることを通知されると，仮想プロファイルスライド捕捉（Ｙ）を行う（ステップＳ４）。
【００３５】
この仮想プロファイルスライド捕捉（ステップＳ４）の処理フローは，図５に示される。図６は，仮想プロファイルスライド捕捉の処理に用いる仮想プロファイル開始位置データ（Ｉ）と仮想プロファイルリスト(II)である。
【００３６】
図６において，仮想プロファイル開始位置データ（Ｉ）は，（１）スライド仮想プロファイル番号（Ｎ）：初期値＝０と，（２）仮想プロファイルポインタ：初期値＝０からなる。
【００３７】
仮想プロファイルリスト(II)は，（３）空き塞がり表示，（４）代表番号（予め設定してあり，着信時は未使用）及び，（５）次スライド仮想プロファイル開始番号（予め設定されている）を有している。
【００３８】
図５の仮想プロファイルスライド捕捉（ステップＳ４）の処理フローに戻り説明すると，仮想プロファイル開始位置データ（Ｉ）の（１）スライド仮想プロファイル番号（Ｎ）を読み込む（処理工程Ｐ１）。
【００３９】
スライド仮想プロファイル番号（Ｎ）が，Ｎ＝０であるかを判定し（処理工程Ｐ２），Ｎ≠０であるとき，仮想プロファイルリスト(II)をスライド仮想プロファイル番号（Ｎ）データ索引して仮想プロファイルを読み込む（処理工程Ｐ３）。
【００４０】
読み込んだ仮想プロファイルの（３）空き塞がり表示が，空きか塞がりかを判断する（処理工程Ｐ４）。塞がり表示である場合，（５）次スライド仮想プロファイル開始番号から仮想プロファイルデータに設定し（処理工程Ｐ５），処理工程Ｐ１に戻る。
【００４１】
処理工程Ｐ４において，空き表示である場合，あるいは，処理工程Ｐ２でスライド仮想プロファイル番号（Ｎ）が，Ｎ＝０である時，仮想プロファイルリスト(II)を（１）スライド仮想プロファイル番号（Ｎ＝１）で索引し，（３），（４）（５）の仮想プロファイルを読み込み（処理工程Ｐ６），捕捉した仮想プロファイルに（３）空き塞がり表示を塞がりに設定する（処理工程Ｐ７）。
【００４２】
ついで，（５）次スライド仮想プロファイル開始番号から仮想プロファイル開始位置データを設定する（処理工程Ｐ８）。
【００４３】
そして，ＯＵＴＰＵＴパラメータに，リンクする（４）代表番号を設定する。
【００４４】
このように，設定されたリンクする（４）代表番号は，図３の例では，代表Ｙに対応する仮想Ｙにリンクする。
【００４５】
セントレックスＭＳＣ２は，ステップＳ４における仮想プロファイルスライド捕捉後，内線プロファイルスライド捕捉（ステップＳ５）を行い，内線プロファイルに対応した公衆番号（Ｉ）を公衆ＭＳＣ１に通知する。
【００４６】
図７は，内線プロファイルスライド捕捉（ステップＳ５）の処理フローであり，この処理を実行制御するプログラムは，セントレックスＭＳＣ２に実装される。
【００４７】
図８は，内線プロファイルスライド捕捉の処理に用いる内線プロファイル開始位置データ（Ｉ）と内線プロファイルリスト(II)である。
【００４８】
図８において，内線プロファイル開始位置データ（Ｉ）は，（１）スライド内線プロファイル番号（Ｎ）：初期値＝１，と（２）内線プロファイルポインタ：初期値＝内線プロファイル１のポインタ，を有している。内線プロファイルリスト(II)は，（３）空き塞がり表示，（４）公衆番号：予め設定している，及び（５）次スライド内線プロファイル番号：予め設定している，を有している。
【００４９】
図７に戻り，内線プロファイル開始位置データ（Ｉ）の（１）内線プロファイル番号（Ｎ）を読み込む（処理工程Ｐ１０）。
【００５０】
ついで，仮想プロファイルリスト(II)において，読み込んだ内線プロファイル開始番号（Ｎ）で索引し，（３）（４）（５）内線プロファイルを読み込む（処理工程Ｐ１１）。
【００５１】
ここで，内線端末がセントレックスＭＳＣ２内に在圏かを判定する（処理工程Ｐ１２）。
【００５２】
内線端末がセントレックスＭＳＣ内に在圏していれば，先に読み込んだ内線プロファイルの（３）空き塞がり表示が，塞がりか否かを判定する（処理工程Ｐ１３）。
【００５３】
処理工程Ｐ１２で，内線端末がセントレックスＭＳＣ２の圏外であるとき，また，圏内であっても，（３）空き塞がり表示が，塞がりであれば，次スライド内線プロファイル開始番号から，（１）（２）内線プロファイル開始位置データに設定更新し（処理工程Ｐ１４），処理工程Ｐ１０に戻る。
【００５４】
さらに，処理工程Ｐ１３で，（３）空き塞がり表示が，空きの時，内線を捕捉し，捕捉した内線プロファイルに（３）塞がりを設定する（処理工程Ｐ１５）。そして，ＯＵＴＰＵＴパラメータにリンクする（４）公衆番号を設定する（処理工程Ｐ１６）。
【００５５】
上記の内線プロファイルスライド捕捉を行って，内線プロファイルに対応した公衆番号（Ｉ）が公衆ＭＳＣ１に通知されると（ステップＳ５），公衆ＭＳＣ１は，セントレックスＭＳＣ２から通知された公衆番号（Ｉ）を話中設定する（ステップＳ６）。
【００５６】
公衆ＭＳＣ１は，更に代表番号（Ｚ）からセントレックスＭＳＣ２から通知された代表番号（Ｉ）に迂回し，携帯端末へ着信SETUPを送出する。以上により，代表番号話中時の第２着信呼のスライド接続が可能になる(ステップＳ７)。
【００５７】
図９は，代表発信サービスの適用例を示す図である。   
【００５８】
ある内線電話（Ｅ）１２から外線代表番号発信をした場合を想定する。
【００５９】
内線電話（Ｅ）１２からの外線代表番号発信を検出する（ステップＳ１０）と，セントレックスＭＳＣ２は，図５，図６で説明した仮想プロファイルスライド捕捉（Ｚ）を行う（ステップＳ１１）。捕捉ＯＫの時，公衆ＭＳＣ１へ内線プロファイル（Ｅ）に対応した公衆番号（Ｅ）を公衆ＭＳＣ１に通知する。
【００６０】
公衆ＭＳＣ１は，セントレックスＭＳＣ２から通知された公衆番号（Ｅ）を話中設定する(ステップＳ１２)。
【００６１】
セントレックスＭＳＣ２は，内線電話（Ｅ）の発信を仮想プロファイル（Ｚ）に迂回し，発信SETUPを送出する(ステップＳ１３)。ついで，代表内線Ｚから外線発信が行われる（ステップＳ１４）。
【００６２】
これにより，課金は公衆ＭＳＣ１で企業と契約している代表番号へ課金され，業務用の課金とすることが出来る。
【図面の簡単な説明】
【００６３】
【図１】公衆網で使用される携帯電話とセントレックスの内線電話を併用している通信システムの概念図である。
【図２】本発明の基本的概念を説明する図である。
【図３】本発明に従う代表着信サービスを説明する図である。
【図４】代表着信受付処理のフローを示す図である。
【図５】仮想プロファイルスライド捕捉の処理フローを示す図である。
【図６】仮想プロファイルスライド捕捉の処理に用いる仮想プロファイル開始位置データ（Ｉ）と仮想プロファイルリスト(II)である。
【図７】内線プロファイルスライド捕捉の処理フローを示す図である。
【図８】内線プロファイルスライド捕捉の処理に用いる内線プロファイル開始位置データ（Ｉ）と内線プロファイルリスト(II)である。
【図９】代表発信サービスの適用例を示す図である。
【符号の説明】
【００６４】
１  公衆移動交換局（ＭＳＣ）
２  内線ＭＳＣ
１０−１ｎ  携帯端末
【図１】
2007306215.tif 000003
【図２】
2007306215.tif 000004
【図３】
2007306215.tif 000005
【図４】
2007306215.tif 000006
【図５】
2007306215.tif 000007
【図６】
2007306215.tif 000008
【図７】
2007306215.tif 000009
【図８】
2007306215.tif 000010
【図９】
2007306215.tif 000011